【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
近位端及び遠位端により特徴づけられる、親動脈閉塞のための塞栓インプラントであって、該塞栓インプラントは、
長手方向に配列した短いストラットを介してＶ字型部分の開放端で接合して前記ワイヤフレーム構造の中心領域を形成する、複数のＶ字型要素を有する、一対の反対方向のジグザグ部分、及び近位端に方向づけられたＶ字型要素の頂点から膨脹する長手方向に沿って配向される屈曲した複数のストラットを有する、近位端及び遠位端により特徴づけられるワイヤフレーム構造であって、前記短いストラットは、互いに前記ワイヤフレーム構造の中心から離れて、頂点を規定する前記Ｖ字型要素から離れて長手方向に移動し、前記長手方向に沿って配向される屈曲したストラットは、前記塞栓インプラントの近位端でワイヤフレーム構造の斜線中心の近くで互いに結合しており、自己膨張型材料から形成されているワイヤフレーム構造と；
前記塞栓インプラントの近位端に固定された離脱ジョイントと；
前記塞栓インプラントの近位端を覆って配置される血液不透過性膜であって、前記ジグザグ部分の少なくとも１つを覆って膨脹している血液不透過性膜と；を有する塞栓インプラント。
【請求項２】
前記ワイヤフレーム構造が、遠位端に方向づけられたＶ字型要素の頂点から膨脹する長手方向に沿って配向される屈曲した第二の複数のストラットを更に有し、前記長手方向に沿って配向される屈曲したストラットは、前記塞栓インプラントの近位端でワイヤフレーム構造の斜線中心の近くで互いに結合している、請求項１記載の塞栓インプラント。
【請求項３】
前記ワイヤフレーム構造が、擬弾性金属合金を更に有する、請求項１記載の塞栓インプラント。
【請求項４】
前記膜が、接着剤を含浸したｅＰＴＦＥを有し、前記膜が前記ワイヤフレーム構造と接着している、請求項１記載の塞栓インプラント。
【請求項５】
前記膜が、接着剤を含浸した２層のｅＰＴＦＥを有し、前記膜が前記ワイヤフレーム構造と接着している、請求項１記載の塞栓インプラント。
【請求項６】
前記ワイヤフレーム構造が、約５ｍｍの直径の全体として膨張した構成、及び約１ｍｍ未満の直径の全体として圧縮した構成を有する、請求項１記載の塞栓インプラント。
【請求項７】
長手方向に配列した短いストラットを介してＶ字型部分の開放端で接合して前記ワイヤフレーム構造の中心領域を形成する、複数のＶ字型要素を有する、一対の反対方向のジグザグ部分、及び近位端に方向づけられたＶ字型要素の頂点から膨脹する長手方向に沿って配向される屈曲した複数のストラットを有する、近位端及び遠位端により特徴づけられるワイヤフレーム構造であって、前記短いストラットは、互いに前記ワイヤフレーム構造の中心から離れて、頂点を規定する前記Ｖ字型要素から離れて長手方向に移動し、前記長手方向に沿って配向される屈曲したストラットは、前記塞栓インプラントの近位端でワイヤフレーム構造の斜線中心の近くで互いに結合しており、自己膨張型材料から形成されているワイヤフレーム構造と；前記塞栓インプラントの近位端に固定された離脱ジョイントと；前記塞栓インプラントの近位端を覆って配置される血液不透過性膜であって、前記ジグザグ部分の少なくとも１つを覆って膨脹している血液不透過性膜とを有する、近位端及び遠位端により特徴づけられる前記塞栓インプラント；
患者の血管系を通って親動脈への移動に適応する送達カテーテルであって、該送達カテーテルの遠位端内に塞栓インプラントを収納することにも適応される送達カテーテル；並びに
前記送達カテーテル内にスライド可能なように配置された送達ロッドであって、該送達ロッドは、前記離脱ジョイントを介して前記塞栓インプラントに固定された遠位端を有する送達ロッドを有する、動脈閉塞のためのシステム。
【請求項８】
前記ワイヤフレーム構造が、遠位端に方向づけられたＶ字型要素の頂点から膨脹する長手方向に沿って配向される屈曲した第二の複数のストラットを更に有し、前記長手方向に沿って配向される屈曲したストラットは、前記塞栓インプラントの近位端でワイヤフレーム構造の斜線中心の近くで互いに結合している、請求項７記載のシステム。
【請求項９】
前記ワイヤフレーム構造が、擬弾性金属合金を更に有する、請求項７記載のシステム。
【請求項１０】
前記膜が、接着剤を含浸したｅＰＴＦＥを有し、前記膜が前記ワイヤフレーム構造と接着している、請求項７記載のシステム。
【請求項１１】
前記膜が、接着剤を含浸した２層のｅＰＴＦＥを有し、前記膜が前記ワイヤフレーム構造と接着している、請求項７記載のシステム。
【請求項１２】
前記ワイヤフレーム構造が、約５ｍｍの直径の全体として膨張した構成、及び約１ｍｍ未満の直径の全体として圧縮した構成を有する、請求項７記載のシステム。
【請求項１３】
前記ワイヤフレーム構造が、約５ｍｍの直径の全体として膨張した構成、及び約０．６ｍｍの直径の全体として圧縮した構成を有する、請求項７記載のシステム。
【請求項１４】
前記離脱ジョイントが、電解ジョイントである、請求項１に記載の塞栓インプラント。
【請求項１５】
前記離脱ジョイントが、電解ジョイントである、請求項７に記載のシステム。
【手続補正２】
【補正対象書類名】明細書
【補正対象項目名】０００７
【補正方法】変更
【補正の内容】
【０００７】
更に、これらのデバイスは、術前脈管切除を実施し、閉塞を試験するために用いられる。更に、ストラット及び抑制バンドを包含する塞栓インプラントも開示されている。これらのデバイスは脳血管系内での使用が提案されているが、全身の血管の障害を治療するためにも使用することができる。
実施形態において、本発明は、例えば、下記の項目を提供する。
（項目１）
近位端及び遠位端により特徴づけられる、親動脈閉塞のための塞栓インプラントであって、該塞栓インプラントは、
長手方向に配列した短いストラットを介してＶ字型部分の開放端で接合して前記ワイヤフレーム構造の中心領域を形成する、複数のＶ字型要素を有する、一対の反対方向のジグザグ部分、及び近位端に方向づけられたＶ字型要素の頂点から膨脹する長手方向に沿って配向される屈曲した複数のストラットを有する、近位端及び遠位端により特徴づけられるワイヤフレーム構造であって、前記短いストラットは、互いに前記ワイヤフレーム構造の中心から離れて、頂点を規定する前記Ｖ字型要素から離れて長手方向に移動し、前記長手方向に沿って配向される屈曲したストラットは、前記塞栓インプラントの近位端でワイヤフレーム構造の斜線中心の近くで互いに結合しており、自己膨張型材料から形成されているワイヤフレーム構造と；
前記塞栓インプラントの近位端に固定された電解離脱ジョイントと；
前記塞栓インプラントの近位端を覆って配置される血液不透過性膜であって、前記ジグザグ部分の少なくとも１つを覆って膨脹している血液不透過性膜と；を有する塞栓インプラント。
（項目２）
前記ワイヤフレーム構造が、遠位端に方向づけられたＶ字型要素の頂点から膨脹する長手方向に沿って配向される屈曲した第二の複数のストラットを更に有し、前記長手方向に沿って配向される屈曲したストラットは、前記塞栓インプラントの近位端でワイヤフレーム構造の斜線中心の近くで互いに結合している、項目１記載の塞栓インプラント。
（項目３）
前記ワイヤフレーム構造が、擬弾性金属合金を更に有する、項目１記載の塞栓インプラント。
（項目４）
前記膜が、接着剤を含浸したｅＰＴＦＥを有し、前記膜が前記ワイヤフレーム構造と接着している、項目１記載の塞栓インプラント。
（項目５）
前記膜が、接着剤を含浸した２層のｅＰＴＦＥを有し、前記膜が前記ワイヤフレーム構造と接着している、項目１記載の塞栓インプラント。
（項目６）
前記ワイヤフレーム構造が、約５ｍｍの直径の全体として膨張した構成、及び約１ｍｍ未満の直径の全体として圧縮した構成を有する、項目１記載の塞栓インプラント。
（項目７）
長手方向に配列した短いストラットを介してＶ字型部分の開放端で接合して前記ワイヤフレーム構造の中心領域を形成する、複数のＶ字型要素を有する、一対の反対方向のジグザグ部分、及び近位端に方向づけられたＶ字型要素の頂点から膨脹する長手方向に沿って配向される屈曲した複数のストラットを有する、近位端及び遠位端により特徴づけられるワイヤフレーム構造であって、前記短いストラットは、互いに前記ワイヤフレーム構造の中心から離れて、頂点を規定する前記Ｖ字型要素から離れて長手方向に移動し、前記長手方向に沿って配向される屈曲したストラットは、前記塞栓インプラントの近位端でワイヤフレーム構造の斜線中心の近くで互いに結合しており、自己膨張型材料から形成されているワイヤフレーム構造と；前記塞栓インプラントの近位端に固定された電解離脱ジョイントと；前記塞栓インプラントの近位端を覆って配置される血液不透過性膜であって、前記ジグザグ部分の少なくとも１つを覆って膨脹している血液不透過性膜とを有する、近位端及び遠位端により特徴づけられる前記塞栓インプラント；
患者の血管系を通って親動脈への移動に適応する送達カテーテルであって、該送達カテーテルの遠位端内に塞栓インプラントを収納することにも適応される送達カテーテル；
前記送達カテーテル内にスライド可能なように配置された送達ロッドであって、該送達ロッドは、前記電解離脱ジョイントを介して前記塞栓インプラントに固定された遠位端を有する送達ロッド；並びに
電源から、前記電解離脱ジョイントに電力を供給するためのコンダクターを有する、動脈閉塞のためのシステム。
（項目８）
前記ワイヤフレーム構造が、遠位端に方向づけられたＶ字型要素の頂点から膨脹する長手方向に沿って配向される屈曲した第二の複数のストラットを更に有し、前記長手方向に沿って配向される屈曲したストラットは、前記塞栓インプラントの近位端でワイヤフレーム構造の斜線中心の近くで互いに結合している、項目７記載のシステム。
（項目９）
前記ワイヤフレーム構造が、擬弾性金属合金を更に有する、項目７記載のシステム。
（項目１０）
前記膜が、接着剤を含浸したｅＰＴＦＥを有し、前記膜が前記ワイヤフレーム構造と接着している、項目７記載のシステム。
（項目１１）
前記膜が、接着剤を含浸した２層のｅＰＴＦＥを有し、前記膜が前記ワイヤフレーム構造と接着している、項目７記載のシステム。
（項目１２）
前記ワイヤフレーム構造が、約５ｍｍの直径の全体として膨張した構成、及び約１ｍｍ未満の直径の全体として圧縮した構成を有する、項目７記載のシステム。
（項目１３）
前記ワイヤフレーム構造が、約５ｍｍの直径の全体として膨張した構成、及び約０．６ｍｍの直径の全体として圧縮した構成を有する、項目７記載のシステム。
（項目１４）
下記工程を含む、患者の脳血管内の障害の治療方法：
項目１記載の第一の塞栓インプラント及び第二の塞栓プラントを供給する工程；
脳血管内の、前記障害と余分の血流の発生源との間の前記障害から遠い部位に、前記第一の塞栓インプラントを植え付ける工程；
脳血管内の前記障害から近い部位に、前記第二の塞栓インプラントを植え付ける方法。